(57)【要約】      （修正有）【課題】  大量の生ゴミや畜糞を微生物によって分解・発酵して減量させるために固まりを小さく粉砕でき、水分の蒸発しやすい、発酵分解速度の速い横筒型回転式攪拌機を提供する。【解決手段】  横筒型回転式攪拌機の、微生物と生ゴミや畜糞を攪拌するための、従来のメインの攪拌羽根２とは別に、固まりとなった生ゴミや畜糞１を小さく粉砕するサブの攪拌羽根４を設ける。この小さく粉砕するサブの攪拌羽根４は、メインの攪拌羽根２が、固まりとなった生ゴミや畜糞１を持ち上げて落とす位置に設置して、高速で回転させることによって、固まりとなった生ゴミや畜糞１を小さく粉砕する。【効果】生ゴミや畜糞が小さく粉砕されると、微生物が取り付く表面積が大きくなり、生ゴミや畜糞の分解速度が速まる。また、分解の過程で出る水分が蒸発し易く、菌床が濡れることなく微生物の働きは悪くならない。【選択図】図１
2005111465.tif 000002
【特許請求の範囲】
【請求項１】
横筒型回転式攪拌機の、微生物と生ゴミや畜糞を攪拌するための、従来のメインの攪拌羽根とは別に、固まりとなった生ゴミや畜糞を小さく粉砕するサブの攪拌羽根を儲ける。この小さく粉砕するサブの攪拌羽根を、高速で回転させることによって、固まりとなった生ゴミや畜糞は小さく粉砕され、微生物が生ゴミや畜糞に取り付く表面積が大きくなって、生ゴミや畜糞の分解速度が速まるとともに、分解の過程で出る水分が、蒸発し易いことを特長とする横筒型回転式攪拌機。
【発明の詳細な説明】
【技術分野】
【０００１】  この発明は、微生物によって生ゴミや畜糞を分解・発酵して減量させる横筒型回転式攪拌機に関する。
【背景技術】
【０００２】  従来の大量の生ゴミや畜糞を微生物によって分解・発酵して減量させるための横筒型回転式攪拌機は、図２に示すように微生物と生ゴミや畜糞１を攪拌するための、メインの羽根２は大きく、回転させるためには大きな負荷が掛かかり、比較的ゆっくりと回転させなければならず、微生物と生ゴミや畜糞１は大まかに攪拌される。このため、粘性の強い生ゴミや畜糞１は固まりになり、微生物が取り付く表面積が小さいため、生ゴミや畜糞の分解速度が遅い。また、分解の過程で出る水分の蒸発量が少なくなり、菌床が濡れるので微生物の働きが悪くなる。
【発明の開示】
【発明が解決しようとする課題】
【０００３】  しかしながら、以上の技術によれば、大量の生ゴミを微生物によって分解・発酵して減量させるための横筒型回転式攪拌機は、微生物と生ゴミや畜糞を攪拌するための、メインの攪拌羽根は大きく、回転させるためには大きな負荷が掛かかり、比較的ゆっくりと回転させなければならず、微生物と生ゴミや畜糞が大まかに攪拌される。このため、粘性の強い生ゴミや畜糞は固まりになり、微生物が取り付く表面積が小さくなるため、生ゴミや畜糞の分解速度が遅くなる。
また、分解の過程で出る水分の蒸発量が少なくなり、菌床が濡れるので微生物の働きが悪くなる。
そこで、この発明は、横筒型回転式攪拌機の、微生物と生ゴミや畜糞を攪拌するための、従来のメインの攪拌羽根とは別に、固まりとなった生ゴミや畜糞を小さく粉砕するサブの攪拌羽根を儲けて、固まりとなった生ゴミや畜糞を小さく粉砕することにより、微生物が生ゴミや畜糞に取り付く表面積が大きくなり、生ゴミや畜糞の分解速度が速まるとともに、分解の過程で出る水分が蒸発し易い、横筒型回転式攪拌機を提供することを課題とする。
【課題を解決するための手段】
【０００４】  以上の課題を解決するために、第一の発明は、横筒型回転式攪拌機の、微生物と生ゴミや畜糞を攪拌するための、従来のメインの攪拌羽根とは別に、固まりとなった生ゴミや畜糞を小さく粉砕するサブの攪拌羽根を儲ける。この小さく粉砕するサブの攪拌羽根を高速で回転させることによって、固まりとなった生ゴミや畜糞を小さく粉砕し、微生物が生ゴミや畜糞に取り付く表面積が大きくなり、分解速度が速まるとともに、分解の過程で出る水分が、蒸発し易いことを特長とする横筒型回転式攪拌機である。
【発明の効果】
【０００５】  以上説明したように、この発明によれば、横筒型回転式攪拌機のメインの攪拌羽根２が回転すると、微生物と生ゴミや畜糞１が持ち上がって落ちる。落ちた固まりになった生ゴミや畜糞１をサブの攪拌羽根４が高速に回転し、小さく粉砕することによって、微生物が取り付く表面積が大きくなり、分解速度が速まる。また、表面積が大きくなると空気に触れる面積が大きくなり、分解の過程で出る水分の蒸発量が多くなり、菌床が濡れることなく、微生物の働きは好良である。
【発明を実施するための最良の形態】
【０００６】この発明の一実施形態を、図１に示す。
横筒型回転式攪拌機のメインの攪拌羽根２が回転すると、微生物と生ゴミや畜糞１が持ち上がって落ちる。この位置に、サブの攪拌軸３とサブの攪拌羽根４を取り付け、モータ５によって、高速に回転させる。
【実施形態の効果】
【０００７】  この実施形態によれば、
横筒型回転式攪拌機のメインの攪拌羽根２が回転すると、微生物と生ゴミや畜糞１が持ち上がって落ちる。落ちた固まりになった生ゴミや畜糞１をサブの攪拌羽根４が高速に回転し、小さく粉砕することによって、微生物が取り付く表面積が大きくなる。また、表面積が大きくなると空気に触れる面積が大きくなり、分解の過程で出る水分の蒸発量が多くなる。
【図面の簡単な説明】
【０００８】
【図１】この発明の一実施形態を示す斜視図である。
【図２】従来技術を示す横筒型回転式攪拌機の斜視図である。
【符号の説明】
【０００９】１  微生物と生ゴミや畜糞  ２  メインの攪拌羽根
３  サブの攪拌軸  ４  サブの攪拌羽根  ５  モータ
【図１】
2005111465.tif 000003
【図２】
2005111465.tif 000004
【手続補正書】
【提出日】平成16年2月25日(2004.2.25)
【手続補正１】
【補正対象書類名】特許請求の範囲
【補正対象項目名】請求項１
【補正方法】変更
【補正の内容】
【請求項１】
横筒型回転式攪拌機の、微生物と生ゴミや畜糞を攪拌するための、従来のメインの攪拌羽根とは別に、固まりとなった生ゴミや畜糞を小さく粉砕するサブの攪拌羽根を儲ける。このサブの攪拌羽根を筒の中心から外れた位置に取り付けるために、筒と側板は固定せず、筒が回転しても側板が動かないようにスライドさせる。そして、サブの攪拌羽根を高速で回転させることによって、固まりとなった生ゴミや畜糞は小さく粉砕され、微生物が生ゴミや畜糞に取り付く表面積が大きくなって、生ゴミや畜糞の分解速度が速まるとともに、分解の過程で出る水分が、蒸発し易いことを特長とする横筒型回転式攪拌機。
【手続補正２】
【補正対象書類名】明細書
【補正対象項目名】０００４
【補正方法】変更
【補正の内容】
【０００４】  以上の課題を解決するために、第一の発明は、横筒型回転式攪拌機の、微生物と生ゴミや畜糞を攪拌するための、従来のメインの攪拌羽根とは別に、固まりとなった生ゴミや畜糞を小さく粉砕するサブの攪拌羽根を儲ける。このサブの攪拌羽根を筒の中心から外れた位置に取り付けるために、筒と側板は固定せず、筒が回転しても側板が動かないようにスライドさせる。そして、このサブの攪拌羽根を高速で回転させることによって、固まりとなった生ゴミや畜糞を小さく粉砕し、微生物が生ゴミや畜糞に取り付く表面積が大きくなり、分解速度が速まるとともに、分解の過程で出る水分が、蒸発し易いことを特長とする横筒型回転式攪拌機である。
【手続補正３】
【補正対象書類名】明細書
【補正対象項目名】０００６
【補正方法】変更
【補正の内容】
【０００６】この発明の一実施形態を、図１に示す。
筒回転用モータ７が稼動すると、筒６が回転し、筒６の内側に固定されたメインの攪拌羽根２も一緒に回転する。メインの攪拌羽根２が回転すると、微生物と生ゴミや畜糞１が持ち上がって落ちる。この位置に、サブの攪拌軸３とサブの攪拌羽根４を取り付け、モータ５によって、高速に回転させる。このサブの攪拌軸３を筒６の中心から外れた位置に取り付けるために、筒６と側板８は固定せず、筒６が回転しても側板８が動かないようにスライドさせる。
【手続補正４】
【補正対象書類名】明細書
【補正対象項目名】０００９
【補正方法】変更
【補正の内容】
【０００９】  １  微生物と生ゴミや畜糞  ２  メインの攪拌羽根
３  サブの攪拌軸  ４  サブの攪拌羽根  ５  モータ  ６  筒
７  筒回転用モータ  ８  側板
【手続補正５】
【補正対象書類名】図面
【補正対象項目名】全図
【補正方法】変更
【補正の内容】
【図１】
2005111465.tif 000005
【図２】
2005111465.tif 000006